(57)【要約】【課題】商品コラムの支持部材を商品コラムの下方に配置して、商品コラムの左右の支持部材配置スペースが不要となり、商品収納容量を増大できる自動販売機を提供するを提供する。【解決手段】第１支持部材２１から支持受け部３８を外すときは、商品コラム３が第２支持部材２２を介して前後方向に移動でき、商品コラム３への商品補充を含め商品コラム３のメンテナンスを行うことができる。ここで、第１支持部材２１及び第２支持部材２２が共に商品コラム３の下部に位置し、商品コラム３を下部から支持しているため、商品コラム３の左右に支持部材配置用のスペースが不要となる。【選択図】図２
2008305338.tif 000002
【特許請求の範囲】
【請求項１】
商品を前後方向に配列した商品コラムを支持部材を介して商品収納室に支持した自動販売機において、
前記支持部材は前記商品収納室で左右方向に延在された第１支持部材と該商品収納室で前後に延在された第２支持部材とを有し、該各支持部材の上に前後方向に移動自在に該商品コラムを支持するとともに、
前記商品コラムの下部には、前記第１支持部材に係脱自在に支持され該商品コラムの前後方向への移動を規制するよう形成された支持受け部と、前記第２支持部材を外側から覆うようにして該商品コラムの左右方向への移動を規制する左右規制部とを有する
ことを特徴とする自動販売機。
【請求項２】
前記支持受け部は、前記商品コラムの前側下部に形成された前側支持受け部と該商品コラムの後側下部に前後に複数形成された後側支持受け部とからなり、該各後側支持受け部は係止された商品コラムの傾斜角度が互いに異なるよう形成した
ことを特徴とする請求項１記載の自動販売機。
【請求項３】
前記商品コラムの前側下部に手指引っ掛け用の把持部を有する
ことを特徴とする請求項１又は請求項２記載の自動販売機。
前後に湾曲した
【請求項４】
前記商品コラムから搬出された商品を受容するため上下に移動するバケット機構を有するとともに、第１支持部材を前記商品収納室の側壁に着脱自在に固定するブラケットを有し、該ブラケットは該バケット機構の上下位置検出用の検出部を有する
ことを特徴とする請求項１乃至請求項３の何れか一項記載の自動販売機。
【発明の詳細な説明】
【技術分野】
【０００１】
本発明は、商品を前後方向に配列した商品コラムを有する自動販売機に関するものである。
【背景技術】
【０００２】
従来、この種の商品コラムは種々提案されているが、一般的には商品が載せられる底壁と底壁の左右に延在された側壁により商品通路を形成したものが知られている。商品を搬出するときは、商品コラムの底壁に設置されたプッシャを駆動して後方の商品を前方に押し出し、最も前方にある商品から一個ずつ落下搬出する構造となっている。
【特許文献１】特開２００６−３１８２５８号公報
【発明の開示】
【発明が解決しようとする課題】
【０００３】
ところで、従来の自動販売機では、隣接する商品コラム間には前後方向に延びる支持部材を形成し、この支持部材を介して商品コラムを前後方向に移動できるようにしており、これにより、商品を補充する際や商品コラムを修理する際などは、商品コラムを支持部材を介して引きだし、商品補充等を行っている。ここで、従来の商品コラムではコラム毎に商品列が一列のみとなっているため、各商品列の数分だけ商品コラムがあり、また、各商品コラム間の支持部材配置スペースもこれまた多数となっている。
【０００４】
しかしながら、各商品コラム間に形成されるスペースは一つ一つは僅かなものに過ぎないが、各商品コラムの個数が多数となっているため、スペースを全て合わせると極めて大きなスペースとなり、自動販売機の商品収納容量を減少させる大きな原因になっていた。
【０００５】
本発明の目的は前記従来の課題に鑑み、商品コラムの支持部材を商品コラムの下方に配置して、商品コラムの左右の支持部材配置スペースが不要となり、商品収納容量を増大できる自動販売機を提供することにある。
【課題を解決するための手段】
【０００６】
本発明は前記課題を解決するため、請求項１の発明は、商品を前後方向に配列した商品コラムを支持部材を介して商品収納室に支持した自動販売機において、支持部材は商品収納室で左右方向に延在された第１支持部材と商品収納室で前後に延在された第２支持部材とを有し、各支持部材の上に前後方向に移動自在に商品コラムを支持するとともに、商品コラムの下部には、第１支持部材に係脱自在に支持され商品コラムの前後方向への移動を規制するよう形成された支持受け部と、第２支持部材を外側から覆うようにして商品コラムの左右方向への移動を規制する左右規制部とを有する構造となっている。
【０００７】
請求項１の発明によれば、第１支持部材から支持受け部を外すときは、商品コラムが第２支持部材を介して前後方向に移動でき、商品コラムへの商品補充を含め商品コラムのメンテナンスを行うことができる。ここで、第１支持部材及び第２支持部材が共に商品コラムの下部に位置し、商品コラムを下部から支持しているため、商品コラムの左右に支持部材配置用のスペースが不要となる。
【０００８】
請求項２の発明は、請求項１の自動販売機において、支持受け部は、商品コラムの前側下部に形成された前側支持受け部と商品コラムの後側下部に前後に複数形成された後側支持受け部とからなり、各後側支持受け部は係止された商品コラムの傾斜角度が互いに異なるよう形成している。
【０００９】
自動販売機の商品コラムに商品を補充するときは、まず、前側支持受け部を第１支持部材から外す。しかる後、商品コラムを商品収納室の前方に引き出し、後側支持受け部を第１支持部材に支持する。ここで、引き出された商品コラムが自動販売機の高い位置にあるときは、商品補充作業の都合上、商品コラムが斜め手前に傾いている方が補充作用が容易であり、他方、引き出された商品コラムが自動販売機の低い位置にあるときは、商品コラムの傾斜は不要である。
【００１０】
請求項２の発明によれば、各後側支持受け部のうち、商品コラムが所望角度となる何れかの後側支持受け部を選択し、これに第１支持部材を係止する。これにより、引き出された商品コラムが所望の傾斜角度で支持され、商品補充作業が簡単になる。
【００１１】
請求項３の発明は、請求項２に係る自動販売機において、商品コラムの前側下部に手指引っ掛け用の把持部を有するので、把持部を手指で把持して商品コラムを前後方向に移動できる。
【００１２】
請求項４の発明は、請求項１乃至３に係る自動販売機において、商品コラムから搬出された商品を受容するため上下に移動するバケット機構を有するとともに、第１支持部材を商品収納室の側壁に着脱自在に固定するブラケットを有し、ブラケットはバケット機構の上下位置検出用の検出部を有する構造となっている。
【００１３】
請求項４の発明によれば、第１支持部材の固定部材であるブラケットが同時に、バケット機構の上下位置検出用の検出部としても共用されている。また、ブラケットが側壁に着脱自在となっているため、検出部に不具合が発生したときは、ブラケットを交換するだけで足りる。
【発明の効果】
【００１４】
本発明によれば、商品コラムを支持する第１支持部材及び第２支持部材が商品コラムの下方に配置されているため、従来の如く、商品コラムの左右に支持部材用の配置空間を形成する必要がなく、これにより、商品収納室の商品収納空空間を増大させることができる。
【発明を実施するための最良の形態】
【００１５】
図１乃至図８は本発明に係る自動販売機の一実施形態を示すもので、図１は自動販売機の正面図、図２は商品コラムの組み付け方法を示す分解斜視図、図３は第１支持部材の側壁への固定構造を示す組立斜視図、図４は商品コラムの分解斜視図、図５(a)(b)(c)は第１支持部材の係止位置変化に伴う商品コラムの傾斜状態を示す側面図、図６は第２支持部材の係止状態を示す斜視図、図７はゼンマイバネの配置状態を示す平面図、図８は商品コラムの一部省略正面断面図である。
【００１６】
まず、本実施家形態に係る自動販売機の概略構成を図１及び図２を参照して説明する。
【００１７】
図１に示すように、自動販売機１の正面に外扉１１を開閉自在に設置している。この外扉１１には商品サンプル部１２、商品選択ボタン１３、商品取出口１４、紙幣投入装置１５、硬貨投入口１６、商品搬送用のバケット１７機構等が設置されている。
【００１８】
図２に示すように、外扉１１の内側には商品収納室２が形成されている。商品収納室２の内側には後述する商品コラム３の下方に配置された支持部材２０を上下に複数段に配置している。各支持部材２０は商品収納室２の左右方向に延在された第１支持部材２１と、前後方向に延在された第２支持部材２２とを有している。一方、商品収納室２の左右の側壁２３にはその内面に上下に所定間隔に形成された２個の側面引っ掛け穴２３１を形成する一方、商品収納室２の背壁２４には同じく上下に背面引っ掛け穴２３２を形成し、これらの穴２３１，２３２によって第１支持部材２１及び第２支持部材２２を商品収納室２に保持するようになっている。以下、この保持構造を説明する。
【００１９】
第１支持部材２１は商品コラム３の前側下部を支持するもので、図３に示すように、左右をブラケット２５ａ，２５ｂを介して商品収納室２の側壁２３に固定している。第１支持部材２１は板状に形成されたもので、前面側を湾曲形状に形成する一方、下面両端寄りには細長の連結穴２１１を形成している。
【００２０】
各ブラケット２５ａ，２５ｂのうち、一方のブラケット２５ａ（図３では向かって右側のブラケット）は、前後方向に板状に延在された基板２５１を有し、基板２３１の前後には２個の引っ掛け片２５２を形成し、上辺には上方に延在した連結片２５３を有している。ここで、各引っ掛け片２５２は側壁２３に向かって鉤状に形成し、各側面引っ掛け穴２３１に係脱自在となっている一方、また、連結片２５３は第１支持部材２１の連結穴２１１に係脱自在なっている。このような係脱自在構造により、第１支持部材２１がブラケット２５ａ，２５ｂを介して側壁２３に着脱自在となっている。また、一方のブラケット２５ａの基板２５１には略Ｌ字状に形成した検出子２５４を有しており、バケット機構１７の位置センサ１７１で検出される被検出部材となっている。なお、他方のブラケット２５ｂ（図３では向かって左側）は検出子を有していないで異なるのみであり、他はブラケット２５ａと同様の構造となっている。
【００２１】
第２支持部材２２は商品コラム３の底を前後に亘って支持するもので、先端を第１支持部材２１に挿入固定するとともに、後端を商品収納室２の背面引っ掛け穴２３２に挿入固定している。これらの第１、２支持部材２１，２２により商品コラム３が商品収納室２内に支持される構造となっている。このように支持された各商品コラム３には図１に示すバケット機構１７が移動し、次いで、バケット機構１７が商品コラム３から商品Ａを受け取り、この商品Ａを商品取出口１４に搬送するようになっている。
【００２２】
商品コラム３は、図４に示すように、３個の商品通路部材３１と、商品通路部材３１に連結する通路側面部材３２と、各商品通路部材３１及び通路側面部材３２に連結する後端連結部材３３と、各商品通路部材３１の搬出口を開閉するゲート３４と、各商品通路部材３１内の商品滑走を良好にするスライダ３５と、各商品通路部材３１内の商品Ａを前方に向かって押圧するプッシャ３６とを有している。
【００２３】
まず、商品通路部材３１の構成を主に図４を参照して説明する。各商品通路部材３１は前後方向に延在した側壁３１１と側壁３１１から図４に向かって右方向に延在した底壁３１２を一体に形成してなる。
【００２４】
商品通路部材３１の構成のうち側壁３１１を図４及び図８を参照して説明する。図４に示すように、側壁３１１の上端には前後方向に切り込んだプッシャ第１案内溝３１１ａを形成している。側壁３１１の内面のうち上下方向略中央には多少幅広のゼンマイバネ案内溝３１１ｂを形成し、同じく側壁３１１の内面のうち下部側にはプッシャ第２案内溝３１１ｃを形成している。図８に示すように、側壁３１１の外面には前後方向に切り込んで形成したプッシャ第３案内溝３１１ｄと通路部材連結溝３１１ｅを有している。プッシャ第３案内溝３１１ｄはプッシャ第１案内溝３１１ａの僅かに下方に位置し、通路部材連結溝３１１ｅは側壁３１１の下部に位置している。
【００２５】
側壁３１１の先端下部には、図４に示すように、下方に向かって延在したゲート支持部３１１ｆを一体に形成している。このゲート支持部３１１ｆの上部にはゲート３４が上下方向に回動自在に設置されるゲート取付部３１１ｇを形成し、ゲート支持部３１１ｆの下部には人の指が引っ掛け用の把持溝３１１ｈを形成し、ゲート取付部３１１ｇと把持溝３１１ｈとの間の位置には隣接する他の商品通路部材３１と係合する係合爪３１１ｉを形成している。
【００２６】
商品通路部材３１のうち底壁３１２を主に図４を参照して説明する。底壁３１２は側壁３１１の下端から直角に屈曲した状態となっており、図７に示すように、商品Ａを前後方向に載置している。底壁３１２の商品載置面３１２ａのうち後寄りが前寄りより強い傾斜となっており、後方の商品Ａが容易に前方に移動し易くなるよう工夫している。
【００２７】
底壁３１２の前端には、図４に示すように、最前列の商品Ａの落下を防止する落下規制部材３１２ｂと、隣接する他の商品通路部材３１の係合爪３１１ｉが係合する引っ掛け穴３１２ｃを形成している。底壁３１２の後端には、図４に示すように、後方に向かって複数の後面連結突起３１２ｄ，３１２ｅが並設され、中央の後面連結突起３１２ｄは大きく形成され、この後面連結突起３１２ｄを間にして位置する後面連結突起３１２ｅは小さく形成されている。
【００２８】
底壁３１２の延在端（図４において底壁３１２の右端）には下方に向かって屈曲した屈曲板３１２ｆを有し、この屈曲板３１２ｆの側面に前後方向に延在された２個の側面連結突起３１２ｇを突設している。また、底壁３１２には左右に所定間隔をおいて配置されたスペーサ取付穴３１２ｈを有し、左右２個のスペーサ取付穴３１２ｈは底壁３１２の前後に亘って３箇所設けられている。
【００２９】
続いて、通路側面部材３２の構成を主に図４及び図５を参照して説明する。通路側面部材３２は商品通路部材３１の側壁３１１と同様の形状となっている。また、通路側面部材３２の下部には、側壁３１１に形成した通路部材連結溝３１１ｅと同様の構造となっている通路部材連結溝（図示しない）が形成され、上部にはプッシャ第３案内溝３１１ｄと同様の構造となっているプッシャ第３案内溝（図示しない）が形成され、通路側面部材３２の前端には商品通路部材３１の係合爪３１１ｉと同様の係合爪３２１が形成されている。
【００３０】
以上のように構成された底壁３１２の屈曲板３１２ｆと通路側面部材３２の下部には、図４及び図５に示すように、第１支持部材２１が係脱自在の支持受け部３８が形成されている。
【００３１】
支持受け部３８は前側支持受け部３８１と後側支持受け部３８２，３８３とからなり、前側支持受け部３８１が商品コラム３が待機状態時に第１支持部材２１が係合し、また、後側支持受け部３８２，３８３は商品コラム３が引き出された時（メンテナンス時）に係合する。
【００３２】
前側支持受け部３８１は屈曲板３１２ｆ及び通路側面部材３２の前側下部に形成されたもので、図５(a)に示すように、第１支持部材２１のうち前面側の上下方向略中央から上面に亘り更には後面側全体を覆うような溝となっている（なお、屈曲板３１２ｆにおいては、第１支持部材２１の前面側は開放されている）。これにより、商品コラム３の前側支持受け部３８１が第１支持部材２１に係合しているときは、商品コラム３の前後方向への移動が規制されている。
【００３３】
後側支持受け部３８２，３８３は屈曲板３１２ｆ及び通路側面部材３２の後側下部に前後に形成されたものである。一方の後側支持受け部３８２は、図５(b)に示すように、第１支持部材２１のうち上面及び後面側を覆うような溝となっており、後側支持受け部３８２に嵌り込んだ商品コラム３はほぼ水平（待機状態とほぼ同じ傾斜角度）となっている。他方の後側支持受け部３８３は、図５(c)に示すように、第１支持部材２１のうち上面を覆う箇所が斜め上方に向かって傾斜しているため、後側支持受け部３８３に嵌り込んだ商品コラム３は、白抜き矢印に示すように、反時計方向に向かって傾斜（商品コラム３の前方が下方となるよう傾斜）した状態で支持される。
【００３４】
更に、後端連結部材３３を主に図６を参照して説明する。後端連結部材３３は四角柱形状の横柱３３１と、横柱３３１の上に等間隔に配置され４本の立ち柱３３２と、横柱３３１の左右両端から下方に形成された左右規制部３３３とを有している。
【００３５】
横柱３３１の前面には、図６に示すように、後面連結突起３１２ｄに対応するよう形成された突起嵌合穴３３１ａと、後面連結突起３１２ｅに対応するよう形成された突起嵌合穴３３１ｂとを有している。この突起嵌合穴３３１ａを間にして左右に突起嵌合穴３３１ｂが２個配置されてなり、これらの組み合わせが横方向に３組（３個の商品通路部材３１に対応するよう）形成されている。
【００３６】
立ち柱３３２のうち左側３個の立ち柱３３２には、上部から下部に向かって第１案内溝入口３３２ａ、ゼンマイバネ案内溝入口３３２ｂ、第２案内溝入口３３２ｃが形成されている。ここで、第１案内溝入口３３２ａはプッシャ第１案内溝３１１ａに対向し、ゼンマイバネ案内溝入口３３２ｂはゼンマイバネ案内溝３１１ｂに対向し、第２案内溝入口３３２ｃはプッシャ第２案内溝３１１ｃに対向している。また、右側３個の立ち柱３３２には第３案内溝入口３３２ｄが形成され、第３案内溝入口３３２ｄは図８に示すプッシャ第３案内溝３１１ｄに対向している。
【００３７】
各左右規制部３３３は、図６に示すように、内側を方形状に切り欠いた支持溝３３３ａを有している。この支持溝３３３ａは第２支持部材２２の径よりも大きく開口して、第２支持部材２２を外側から覆うように形成し、第２支持部材２２の後端が遊びをもって挿通している。また、２つの左右規制部３３３の間隔は左右に隣接する第２支持部材２２の間隔と等しくなっており、これにより、商品コラム３を下方から第２支持部材２２で支持するとともに、商品コラム３が左右にずれないよう左右方向の移動を規制している。
【００３８】
ゲート３４は、図１に示すように、商品通路部材３１の最も前端に位置する商品Ａの落下を防止するもので、図４に示すように、商品通路部材３１のゲート取付部３１１ｇに取り付け、商品通路部材３１の搬出口を開閉するようになっている。
【００３９】
スライダ３５は、図４に示すように、商品通路部材３１の底壁３１２上に設置するもので、底壁３１２の前後方向全体に亘って形成されている。スライダ３５の上面は商品Ａとの摩擦抵抗を小さくするために湾曲しており、これにより、商品Ａが円滑に前方向に移動できるようになっている。
【００４０】
プッシャ３６は、図７に示すように、全体的に上下に延在した方形状の押圧板３６１と駆動源であるゼンマイバネ３６２とから構成され、最後端の商品Ａを後から前方に向かって押圧するよう機能している。
【００４１】
押圧板３６１の上端の一方には逆Ｌ字状の第１案内片３６１ａを形成し、下部には外側に突出した第２案内片３６１ｂを形成し、押圧板３６１で上部で第１案内片３６１ａの逆側には第３案内片３６１ｃを形成している。ここで、第１案内片３６１ａは第１案内溝入口３３２ａを通じてプッシャ第１案内溝３１１ａに挿入され、第２案内片３６１ｂは第２案内溝入口３３２ｃを通じてプッシャ第２案内溝３１１ｃに挿入され、第３案内片３６１ｃは第３案内溝入口３３２ｄを通じてプッシャ第３案内溝３１１ｄに挿入される。また、押圧板３６１の側面のうち第３案内片３６１ｃ側の側面には方形状に突出した凸部３６１ｄが形成されている。
【００４２】
ゼンマイバネ３６２は、図７に示すように、押圧板３６１の後面に設置されているもので、ゼンマイバネ３６２のうち引き出されたバネ片３６２ａがゼンマイバネ案内溝入口３３２ｂ及びゼンマイバネ案内溝３１１ｂに配置され、バネ片３６２ａの先端がゼンマイバネ案内溝３１１ｂの前端に連結している。これにより、ゼンマイバネ３６２の復元力がプッシャ３６に対して前方への押圧力として加わり、プッシャ３６が前方に向かって押圧される。
【００４３】
以上のように構成された商品コラム３の組み付け方法を、主に図４を参照して説明する。
【００４４】
まず、商品通路部材３１を左右に３個配置する。ここで、各商品通路部材３１を連結する際、各商品通路部材３１は次のように組み付ける。
【００４５】
一方の商品通路部材３１の係合爪３１１ｉを隣接する他方の商品通路部材３１の引っ掛け穴３１２ｃに挿入して互いに前端側が連結する。これにより、各商品通路部材３１が互いに位置決めされる。次いで、図８に示すように、一方の商品通路部材３１の延在端に形成された側面連結突起３１２ｇを隣接する他方の商品通路部材３１の通路部材連結溝３１１ｅに嵌め込んで、各商品通路部材３１を連結する。これにより、左右に隣接する商品通路部材３１が互いに連結する。このような連結作業を繰り返して行い３個の商品通路部材３１を連結する。
【００４６】
このような商品通路部材３１の連結作業が終了したときは、各商品通路部材３１のうちで最も端に位置する商品通路部材３１の側面に通路側面部材３２を連結する。即ち、通路側面部材３２の係合爪３２１を当該商品通路部材３１の引っ掛け穴３１２ｃに挿入するとともに、側面連結突起３１２ｇを通路側面部材３２の通路部材連結溝（図示しない）に嵌め込み、通路側面部材３２を連結する。
【００４７】
このように組み付けることにより、各商品通路部材３１内に一つずつ商品配列通路が形成され、これにより、１つの商品コラム３内に３個の商品配列通路が形成される。
【００４８】
前述の如き、商品通路部材３１と通路側面部材３２の組み付け作業が終了したときは、これらの連結強度を向上させるため、後端連結部材３３を次の要領で取り付ける。即ち、図４に示すように、各商品通路部材３１の後方に後端連結部材３３を配置するとともに、横柱３３１は各商品通路部材３１の底壁３１２の後端に対向させ、各立ち柱３３２は各側壁３１１及び通路側面部材３２の後端に対向させる。次いで、各商品通路部材３１の後面連結突起３１２ｄを後端連結部材３３の突起嵌合穴３３１ａに嵌め込み、後面連結突起３１２ｅを突起嵌合穴３３１ｂに嵌め込む。これにより、商品通路部材３１及び通路側面部材３２が後端連結部材３３により強固に連結される。なお、連結強度を更に向上させるために立て柱３３２と各側壁３１１及び通路側面部材３２とをネジなどで締結するようにしても良い。
【００４９】
このように後端連結部材３３の連結作業が終了したときは、図４に示すように、各スライダ３５を各商品通路部材３１の商品載置面３１２ａに設置し、ゲート３４を各商品通路部材３１のゲート取付部３１１ｇに取り付ける（なお、ゲート３４は各商品通路部材３１を組み付ける前に予め取り付けておいても良い）。
【００５０】
次いで、プッシャ３６を次の要領で組み付ける。即ち、まず、ゼンマイバネ３６２を押圧板３６１の後面に設置しておく。次いで、各プッシャ３６を後端連結部材３３の後方で各商品通路部材３１と対向させるように位置させる。しかる後、プッシャ３６の第１案内片３６１ａを第１案内溝入口３３２ａを介してプッシャ第１案内溝３１１ａに移動させ、プッシャ３６の第２案内片３６１ｂを第２案内溝入口３３２ｃを介してプッシャ第２案内溝３１１ｃに移動させ、プッシャ３６の第３案内片３６１ｃを第３案内溝入口３３２ｄを介してプッシャ第３案内溝３１１ｄに移動させる。一方、ゼンマイバネ３６２のバネ片３６２ａはゼンマイバネ案内溝入口３３２ｂを介してゼンマイ案内溝３１１ｂに配置され、バネ片３６２ａの先端をゼンマイ案内溝３１１ｂの先端に固定する。
【００５１】
以上のような組み付け工程により商品コラム３が構成される。商品コラム３を商品収納室２内に配置するときは、図２に示すように、商品コラム３の前側支持受け部３８１を第１支持部材２１に載せ、図６に示すように、左右規制部３３３の支持溝３３３ａに第２支持部材２２を挿入する。これにより、商品コラム３が商品収納室２内に設置され、図１に示すように、複数の商品コラム３が商品収納室２内に配置される。
【００５２】
本実施形態に係る自動販売機１において、商品コラム３を支持する第１支持部材２１及び第２支持部材２２の何れも商品コラム３の下方に配置され、商品コラム３を下方から支持するようになっているため、従来の如く各商品コラム３の側壁３１１の外方に支持部材設置用のスペースを用意する必要がない。これにより、隣接する商品コラム３間に形成される間隙Ｗ１は、図１に示すように、各商品コラム３を出し入れする際に互いに接触しない程度の間隙Ｗ１であれば足り、各間隙Ｗ１が小さくなった分、商品収納量が増大している。
【００５３】
また、商品コラム３に商品Ａを補充するときは、まず、前側支持受け部３８１を第１支持部材２１から外す。しかる後、商品コラム３を商品収納室２の前方に引き出し、各後側支持受け部３８２，３８３のうちの一方を選択し、選択した方を第１支持部材２１に支持する。
【００５４】
ここで、引き出された商品コラム３が商品収納室２の上部に位置するときは、例えば、後方に位置する後側支持受け部３８３を選択し、図５(c)に示すように、後側支持受け部３８３を第１支持部材２１に嵌め込む。これにより、後側支持受け部３８３を中心に商品コラム３が下方に向かって傾斜した状態で支持され、商品補充作業が簡単になる。他方、引き出された商品コラム３が商品収納室２の下部に位置するときは、例えば、前方に位置する後側支持受け部３８２を選択し、図５(b)に示すように、後側支持受け部３８２を第１支持部材２１に嵌め込む。これにより、商品コラム３はほとんど傾斜することなく支持され、商品Ａの補充作業が簡単になる。
【００５５】
また、商品コラム３の前側下部に手指引っ掛け用の把持溝３１１ｈを有するので、把持溝３１１ｈを手指で把持して商品コラム３を前後方向に簡単に移動できる。
【００５６】
更に、検出子２５４を有するブラケット２５ａが第１支持部材２１の連結穴２１１に着脱自在で、また、側壁２３の各側面引っ掛け穴２３１に着脱自在となっているため、検出子２５４に不具合が起きたときでも、小さな部品であるブラケット２５ａを交換するだけで足りる。
【図面の簡単な説明】
【００５７】
【図１】自動販売機の正面図
【図２】商品コラムの組み付け方法を示す分解斜視図
【図３】第１支持部材の側壁への固定構造を示す組立斜視図
【図４】商品コラムの分解斜視図
【図５】第１支持部材の係止位置変化に伴う商品コラムの傾斜状態を示す側面図
【図６】第２支持部材の係止状態を示す斜視図
【図７】ゼンマイバネの配置状態を示す平面図
【図８】商品コラムの一部省略正面断面図
【符号の説明】
【００５８】
１…自動販売機、２…商品収納室、３…商品コラム、１７…バケット機構、２０…支持部材、２１…第１支持部材、２２…第２支持部材、２３…側壁、２５ａ，２５ｂ…ブラケット、３８…支持受け部、２５４…検出子、３３３…左右規制部、３８１…前側支持受け部、３８２，３８３…後側支持受け部、３１１ｈ…把持溝、Ａ…商品。
【図１】
2008305338.tif 000003
【図２】
2008305338.tif 000004
【図３】
2008305338.tif 000005
【図４】
2008305338.tif 000006
【図５】
2008305338.tif 000007
【図６】
2008305338.tif 000008
【図７】
2008305338.tif 000009
【図８】
2008305338.tif 000010
【手続補正書】
【提出日】平成20年7月7日(2008.7.7)
【手続補正１】
【補正対象書類名】特許請求の範囲
【補正対象項目名】請求項１
【補正方法】変更
【補正の内容】
【請求項１】
商品を前後方向に配列した商品コラムを支持部を介して商品収納室に支持した自動販売機において、
前記支持部は前記商品収納室の内側で左右方向に延在された第１支持部材と、該商品収納室の内側で前後に延在された第２支持部材とを備え、該第１支持部材及び該第２支持部材の上に前後方向に移動自在に該商品コラムを支持し、
前記商品コラムの下部には、前記第１支持部材に係脱自在に支持され該商品コラムの前後方向への移動を規制するよう形成された支持受け部と、前記第２支持部材を外側から覆うようにして該商品コラムの左右方向への移動を規制する左右規制部とを有する
ことを特徴とする自動販売機。
【手続補正２】
【補正対象書類名】明細書
【補正対象項目名】０００６
【補正方法】変更
【補正の内容】
【０００６】
本発明は前記課題を解決するため、請求項１の発明は、商品を前後方向に配列した商品コラムを支持部を介して商品収納室に支持した自動販売機において、支持部は商品収納室の内側で左右方向に延在された第１支持部材と、商品収納室の内側で前後に延在された第２支持部材とを備え、第１支持部材及び第２支持部材の上に前後方向に移動自在に該商品コラムを支持し、商品コラムの下部には、第１支持部材に係脱自在に支持され商品コラムの前後方向への移動を規制するよう形成された支持受け部と、第２支持部材を外側から覆うようにして商品コラムの左右方向への移動を規制する左右規制部とを有する構造となっている。
【手続補正３】
【補正対象書類名】明細書
【補正対象項目名】００１６
【補正方法】変更
【補正の内容】
【００１６】
まず、本実施形態に係る自動販売機の概略構成を図１及び図２を参照して説明する。
【手続補正４】
【補正対象書類名】図面
【補正対象項目名】図２
【補正方法】変更
【補正の内容】
【図２】
2008305338.tif 000011
【手続補正５】
【補正対象書類名】図面
【補正対象項目名】図３
【補正方法】変更
【補正の内容】
【図３】
2008305338.tif 000012
【手続補正６】
【補正対象書類名】図面
【補正対象項目名】図４
【補正方法】変更
【補正の内容】
【図４】
2008305338.tif 000013
【手続補正７】
【補正対象書類名】図面
【補正対象項目名】図５
【補正方法】変更
【補正の内容】
【図５】
2008305338.tif 000014